(57)【特許請求の範囲】
【請求項１】
表面部と裏面部とを連結し、隅部、隅部の中間の中間部及び中央部に形成された筒状桁を有し、隅部の筒状桁と中間部の筒状桁との間にフォーク挿入孔が形成された合成樹脂製パレットに於いて、裏面各隅部にパレットサポーターの下端のパレット受け板が嵌合する切り欠きを設けてなることを特徴とする合成樹脂製パレット。
【請求項２】
隅部筒状桁の側面にパレットサポーターのアングルの抜け落ち防止板が嵌合する長穴を設けたことを特徴とする請求項１記載の合成樹脂製パレット。
【請求項３】
パレットサポーターのアングル取り付け用に設けたパレットの裏面切り欠き部に下面デッキと面一になる突出部を設けた請求項１記載の合成樹脂製パレット。
【請求項４】
表面部と裏面部とを連結し、隅部、隅部の中間の中間部及び中央部に形成された筒状桁を有し、隅部の筒状桁と中間部の筒状桁との間にフォーク挿入孔が形成され、裏面各隅部にパレットサポーターの下端のパレット受け板が嵌合する切り欠きを設けてなる合成樹脂製パレットに、下端と上端にそれぞれパレット受け板が形成された長尺のＬ字状パレットサポーターをパレットの各隅部に嵌着してなり、該サポーターの下端の受け板をパレットの裏面隅部の切り欠きに嵌合し、且つ各パレットサポーターを連結桟で固定することを特徴とするパレットサポーター付き合成樹脂製パレット。
【請求項５】
パレットサポーターがアングルの抜け落ち防止板を有し、パレットが隅部筒状桁の側面にパレットサポーターのアングルの抜け落ち防止板が嵌合する長穴を有し、且つ該パレットのアングルの抜け落ち防止板を該パレットの長穴に嵌合してなることを特徴とする請求項４記載のパレットサポーター付き合成樹脂製パレット。
【発明の詳細な説明】
【０００１】
【発明の属する技術分野】
本発明は、倉庫内で種々の物品を載せて保管する際に、物品を載せて多段に積み重ねる為にパレット受け板を有するパレットサポーターを容易に取り付けることができる合成樹脂製パレット及びパレットサポーターが取り付けられたパレットに関する。
【０００２】
【従来の技術】
従来、倉庫業界等で荷物が積み付けられた合成樹脂製パレットを保管する場合、保管効率を良くする為パレットの段積みが行われている。段積みの方法の一つとして、段積み後の荷物を適時取り出す為、不定形の荷物も段積みする為、更に段積み後の荷物の保護等の為パレットサポーターと呼ばれるスチール製アングル枠をパレットに取り付けた後段積みする方法が実施されている。
【０００３】
しかし、従来のパレットサポーターを使用して荷物を積み付けるには、パレットにスチール製アングル枠を取り付けた後、該パレットに持ち込まれたパレット積載荷物を人手で載せ換えるか、或いは荷物を載せたまま該パレットを持ち上げてスチール製アングル下端のパレット受け板を取り付けなければならないため、作業効率が悪く、労力を過度に要する等の欠点があった。
【０００４】
又、特開平８ー２６２８１及び実開平６−７８２３７には、合成樹脂製パレットの両端から内側に入った筒状桁の側壁部に開口部を形成し、該開口部と外側壁にパレットサポーターのコ字状取付部を外嵌させる方法が記載されている。しかし、この方法では、開口部或いはパレットのコーナー部等、合成樹脂製パレットのパレットサポーター支持部にパレットサポーターからの応力が発生する為、重量物を積載した該パレットサポーター付パレットを多段積みにして長期間保管するとパレットのパレットサポータ支持部が変形する等の不具合があった。又、脚部の嵌合部材が、通常筒状であり、脚部の側面部に形成されており、パレットをならべた時に必要な床面積が大きくなるという欠点があった。
【０００５】
【発明が解決しようとする課題】
本発明者等は、高い耐荷重性能を示し、安定した多段積みが可能で、パレットサポーターを容易に取り付けることができる合成樹脂製パレット及びパレットサポーターが取り付けられたパレットについて研究を進めた結果、本発明に到達した。
【０００６】
【課題を解決するための手段】
本発明は、表面部と裏面部とを連結し、隅部、隅部の中間の中間部及び中央部に形成された筒状桁を有し、隅部の筒状桁と中間部の筒状桁との間にフォーク挿入孔が形成された合成樹脂製パレットに於いて、裏面各隅部にパレットサポーターの下端のパレット受け板が嵌合する切り欠きを設けてなることを特徴とする合成樹脂製パレットに関する。
【０００７】
本発明は、隅部筒状桁の側面にパレットサポーターのアングルの抜け落ち防止板が嵌合する長穴を設けたことを特徴とする前記合成樹脂製パレットに関する。
本発明は、パレットサポーターのアングル取り付け用に設けたパレットの裏面切り欠き部に下面デッキと面一になる突出部を設けた前記合成樹脂製パレットに関する。
【０００８】
本発明は、表面部と裏面部とを連結し、隅部、隅部の中間の中間部及び中央部に形成された筒状桁を有し、隅部の筒状桁と中間部の筒状桁との間にフォーク挿入孔が形成され、裏面各隅部にパレットサポーターの下端のパレット受け板が嵌合する切り欠きを設けてなる合成樹脂製パレットに、下端と上端にそれぞれパレット受け板が形成された長尺のＬ字状パレットサポーターをパレットの各隅部に嵌着してなり、該サポーターの下端の受け板をパレットの裏面隅部の切り欠きに嵌合し、且つ各パレットサポーターを連結桟で固定することを特徴とする前記パレットサポーター付き合成樹脂製パレットに関する。
【０００９】
本発明は、パレットサポーターがアングルの抜け落ち防止板を有し、パレットが隅部筒状桁の側面にパレットサポーターのアングルの抜け落ち防止板が嵌合する長穴を有し、且つ該パレットのアングルの抜け落ち防止板を該パレットの長穴に嵌合してなることを特徴とする前記パレットサポーター付き合成樹脂製パレットに関する。
【００１０】
【発明の実施の形態】
以下、図面に従って本発明を説明する。
図１は、本発明に係わる合成樹脂製パレットの一例を示す斜視図であり、図２は、図１に示した合成樹脂製パレットの裏面図であり、図３は、本発明に係わる合成樹脂製パレットに荷物を積載した後、パレットサポータを嵌着した一例を示す斜視図であり、図４は、荷物を積載した図１の合成樹脂製パレットにパレットサポータを嵌着する様子を示す斜視図であり、図５は、図１の合成樹脂製パレットにパレットサポータを嵌着した一例を示す斜視図である。
【００１１】
本発明は、表面部と裏面部とを連結し、隅部、隅部の中間の中間部及び中央部に形成された筒状桁を有し、隅部の筒状桁と中間部の筒状桁との間にフォーク挿入孔が形成された合成樹脂製パレットに於いて、裏面各隅部にパレットサポーターの下端のパレット受け板が嵌合する切り欠きを設けてなることを特徴とする合成樹脂製パレットに関する。
【００１２】
図示した合成樹脂製パレットは、表面部１と裏面部２とを連結する両側部に形成された側部の筒状桁３と、両側部の筒状桁３の中間に形成された中間部の筒状桁４とを有し、側部の筒状桁３と中間部の筒状桁４との間にフォーク挿入孔５が形成されている。本発明でのパレットは、図示した四方差しのパレットが好ましいが、二方差しのパレットでも適用可能である。
【００１３】
合成樹脂製パレットは、ポリエチレン、ポリプロピレン等の合成樹脂により、一体成形することができる。
合成樹脂製パレットに於いて、側部の筒状桁３の裏面部、つまり裏面各隅部にパレットサポーターのアングル下端のパレット受け板２０が嵌合する切り欠き１０が形成されている。切り欠き１０の形状は、パレットサポーターのアングル下端のパレット受け板２０の形状に合わせて形成されており、通常は、図２の例の様に方形であるが、三角形、四分の一円形等でも良い。
【００１４】
又、パレット裏面部２のデッキと切り欠き１０との段差は、パレット受け板２０の厚みより厚ければよいが、合成樹脂製パレットの強度等から５０ｍｍ以内、好ましくは、１０ｍｍ以内で、パレット受け板２０の厚みより２ｍｍ以上、６ｍｍ以内の範囲で厚く形成する。
【００１５】
合成樹脂製パレットに於いては、側部筒状桁３の内の左前面部６及び右前面部７の位置にパレットサポーターのアングルの抜け落ち防止板２２が嵌合する長穴８が形成されているのが好ましい。又、長穴８は、側部筒状桁３の内の左前面部６及び右側面部９の位置或いは側部筒状桁３の内の右前面部７及び左側面部１２の位置に設けられても良い。
【００１６】
長穴８の形状は、パレットサポーターのアングルを固定し易いので長方形であるのが好ましいが、パレットサポーター支柱の抜け落ち防止板の断面形状により正方形、或いは円形等でもかまわない。
【００１７】
また、本発明は、表面部と裏面部とを連結し、隅部、隅部の中間の中間部及び中央部に形成された筒状桁を有し、隅部の筒状桁と中間部の筒状桁との間にフォーク挿入孔が形成され、裏面各隅部にパレットサポーターの下端のパレット受け板が嵌合する切り欠きを設けてなる合成樹脂製パレットに、下端と上端にそれぞれパレット受け板が形成された長尺のＬ字状パレットサポーターをパレットの各隅部に嵌着してなり、該サポーターの下端の受け板をパレットの裏面隅部の切り欠きに嵌合し、且つ各パレットサポーターを連結桟で固定することを特徴とする前記パレットサポーター付き合成樹脂製パレットに関する。
【００１８】
本発明に於けるパレットサポーターには、アングルの抜け落ち防止板がパレットサポーターの支柱に形成され、該防止板が前記パレットの長穴に嵌合するのが好ましい。
【００１９】
本発明に係わる合成樹脂製パレットに図３に示したパレットサポーターを取り付けるには、左側の切り欠き１０にパレットサポーター左支柱２３の受け板２０を嵌合させると同時に左前面部６に設けられた長穴８にパレットサポーター左支柱２３の抜け落ち防止板２２を嵌合させる。
【００２０】
又、同様に右側切り欠き１０にパレットサポーター左支柱２４の受け板２０を嵌合させると同時に右前面部７に設けられた長穴８にパレットサポーター右支柱２３の抜け落ち防止板２２を嵌合させる。
【００２１】
ここで、長穴８が側部筒状桁３の内、左前面部６及び右側面部９の位置に設けられているとパレットサポーターの支柱は、左支柱２３を一種類用意すれば良いことになる。又、長穴８を側部筒状桁３の内、右前面部７及び左側面部１２の位置に設けるとパレットサポーターの支柱は、右支柱２４を一種類用意すれば良いことになる。
【００２２】
本発明に係わる合成樹脂製パレットの四隅に上記の如くパレットサポーターの支柱を嵌合させた後、支柱の上部と下部に設けた連結用桟受２６に、上部と下部毎に各２〜４個の連結用桟２５をはめ込み連結するのが好ましく、これにより四本のパレットサポーターの支柱が固定され、該パレットへ別のパレットの積み上げが可能となる。
【００２３】
又、本発明に係わるパレットサポータの支柱には、パレット受け板２０と上面受け板２８があり、多段積み時には、上段のパレット受け板２０が下段の上面受け板２８に載ることで、上段の荷重を該スチール製パレットサポータの支柱で受け、そして受け板２０から床面に伝えることになり、合成樹脂製パレットに応力が発生せず、該パレットの変形等の不具合を防止することができる。
【００２４】
更に又、多段積み時に、下段サポータ付パレットの上面受け板２８に上段サポータ付パレットの受け板２０を載せることで安定した多段積みが可能となる。
本発明に係わる合成樹脂製パレットに於いて、筒状桁３に結束バンド用穴１３を設けておくこともできる。この結束バンド用穴１３に結束バンド２７を図３の如く装着するとパレット上の積載物を固定することができ、荷崩れ防止が計れる。
【００２５】
本発明に係わる合成樹脂製パレットに於いて、パレットの裏面にアングル取り付け用に設けた切り欠き部１０に裏面部２のデッキと面一になる突出部１１を設けても良い。該突出部１１をパレットに設けた場合は、パレットサポーター支柱の受け板２０に該突出部１１に相当する突出部用切り欠き２１を設けておくことでパレットとの嵌合が可能となる。本発明に係わる合成樹脂製パレットにパレットサポーターを取り付けないで荷物を積み付けた場合等、欠き部１０にパレット上面から局部的に荷重が加わった時、該突出部１１を設けておくことにより、パレットの変形、或いはパレットの傾き等が発生するのを防止することができる。
【００２６】
【発明の効果】
本発明に係わる合成樹脂製パレットは、裏面各隅部に切り欠きが設けてある為該パレットを持ち上げることなくパレットサポーターを取り付けることができる。
【００２７】
従って、パレット上に積載物がある場合でも、パレットサポーターを簡単に取り付けることができ、パレットサポーター付パレットへの積載荷物の積み替え、或いは該パレットを持ち上げたままパレットサポーターを取り付ける等の作業が必要なくなるので作業効率を向上させることができる。
【００２８】
又、本発明に係わるパレットサポータ付き合成樹脂製パレットにより多段積みした時は、上段の荷重を該スチール製パレットサポータ同士で受けることができ、合成樹脂製パレットのパレットサポータ支持部に応力が発生せず、該パレットの変形等の不具合を防止することができる。パレット受け板と上面受け板で積み上げることができるので安定した多段積みができる。
【００２９】
又、該パレットの隅部筒状桁の側面に長穴を設けると、それにパレットサポーターのアングルの抜け落ち防止板を嵌合させることで、パレットサポーターを取り付けた後、該パレットをフォークリフト等で持ち上げても、パレットサポーターが落ちることがなく移動、積み上げ等ができる。
【００３０】
更に又、パレットサポーターのアングル下端のパレット受け板がパレット裏面各隅部に形成された切り欠き部に嵌合することでパレット上面に脚部等が乗らない為パレットの積載面積を減少せしめず、また従来のパレットサポーターのように脚部の嵌合部材がパレットの側面に突出しない為パレットの床面積を拡大しないで済むという利点がある。
【図面の簡単な説明】
【図１】本発明に係わる合成樹脂製パレットの一例を示す上面斜視図である。
【図２】図１に示した合成樹脂製パレットの裏面図である。
【図３】図１に示した合成樹脂製パレットに積載物を載せ、パレットサポーターを取り付けた一例を示す斜視図である。
【図４】積載物を載せた本発明に係わる合成樹脂製パレットに、パレットサポーターを取り付ている状態を示す部分拡大斜視図である。
【図５】図１に示した合成樹脂製パレットにパレットサポーターを取り付けた一例を示す斜視図である。。
【符号の説明】
１  表面部
２  裏面部
３、４  筒状桁
５  フォーク挿入孔
６  左前面部
７  右前面部
８  長穴
９  右側面部
１０  方形状の切り欠き
１１  突出部
１２  左側面部
１３  結束バンド
２０  パレット受け板
２１  突出部用切り欠き
２２  抜け落ち防止板
２３  左支柱
２４  右支柱
２５  連結桟
２６  連結桟受
２７  結束バンド
２８  上面受け板
【図１】
0004042001.tif 000002
【図２】
0004042001.tif 000003
【図３】
0004042001.tif 000004
【図４】
0004042001.tif 000005
【図５】
0004042001.tif 000006